(57)【特許請求の範囲】
【請求項１】
葉書本体シートと、この葉書本体シートの表裏面に重ね合わせて剥離可能に接着するために葉書本体シートに折り部を介して連接した２枚の貼着シートとからなり、葉書本体シートの一面には葉書表示を設け、この葉書本体シートの葉書表示面側に重ね合わせる貼着シートは、前記葉書本体シートと重ね合わせた時に前記葉書表示が表出するように、その幅を前記葉書本体シートよりも狭く、または切り欠き部を設けて構成し、前記葉書本体シートと前記各貼着シートの各重ね合わせ面をそれぞれ通知情報記載面とする一方、前記葉書本体シートと前記各貼着シートの各重ね合わせ面の互いに対接する各一方には透視可能なシートを剥離可能または剥離困難に接着し、前記葉書本体シートまたは前記各貼着シートの各重ね合わせ面の互いに対接する各一方に設けた各透視可能なシートの表出面には、前記透視可能なシートが剥離可能であれば剥離困難な強粘着剤を設けるとともに剥離紙で被覆し、前記透視可能なシートが剥離困難であれば剥離可能な弱粘着剤を設けるとともに剥離紙で被覆してなり、前記透視可能なシートの表出面に剥離困難な強粘着剤を介して、または剥離可能な弱粘着剤を介して、設けた剥離紙の少なくとも一枚を控とし、前記折り部で葉書本体シートの表面側に貼着シートを前記控を介して折り重ねた後に、前記葉書本体シートまたは前記貼着シートへの記入によって前記控の一面側に複写記入するために、前記控の一面側に設けた顕色剤層と、この一面側と折り重なる前記葉書本体シートの表面に染料内包マイクロカプセル剤層とからなる複写構造を設けたことを特徴とする重ね合わせ葉書用シート。
【発明の詳細な説明】
【０００１】
【発明の属する技術分野】
本発明は、封書と同様に親展性を有して所定の情報を通知できる重ね合わせ葉書とするための重ね合わせ葉書用シートに関し、特に、三紙片の表裏面である６面に情報を記載できるとともに、４面の通知情報を被覆隠蔽した状態で親展通知情報として通知できる葉書とするための葉書用シートに関する。なお、本明細書でいう親展通知情報とは、被覆隠蔽した状態で通知される情報を意味し、単なる説明文のような秘匿性を必要としない情報も含まれるものである。
【０００２】
【従来の技術】
従来、他人が通知情報を視認できないように親展化して通知しうる葉書として、６面に情報を記載できるとともに、４面の通知情報を被覆隠蔽した状態で親展通知情報として通知できる重ね合わせ葉書が知られており、また、このような重ね合わせ葉書を作成するための３枚のシートからなる葉書用シートも知られている。
【０００３】
しかしながら、従来の重ね合わせ葉書用シートは、３枚のシートを重ね合わせて重ね合わせ面を接着するには、シートの折り機構及び圧着または熱着する接着機構を備えた専用の葉書作成機が必要であった。
【０００４】
【発明が解決しようとする課題】
このため、従来の重ね合わせ葉書用シートは、大量処理には適しているが、少数の重ね合わせ葉書を必要とする、一般家庭や小事務所などの高価な専用の葉書作成機を備えることができないものの需要には、応えることがでなかった。
【０００５】
また、現行の郵便法の規定では、葉書本体に「郵便葉書」等の葉書表示が必要とされ、また、葉書本体の重量は２ｇ以上と定められているほか、葉書全体の重量は６ｇ以下と定められている。このため、３枚のシートからなる葉書用シートでは、葉書本体シートは２ｇ以上の重量を有し、残りの２枚のシートの総重量が４ｇ以下でなければならない。
【０００６】
本発明は、このような事情に鑑みてなされたもので、専用の葉書作成機を備えることなく、通知情報量の多い重ね合わせ葉書を簡便に作成できるとともに、現行の郵便法の規定にも合致する重ね合わせ葉書用シートを提供することを目的とする。
【０００７】
【課題を解決するための手段】
この目的を達成するために、本発明の請求項１に記載した重ね合わせ葉書用シートは、葉書本体シートと、この葉書本体シートの表裏面に重ね合わせて剥離可能に接着するために葉書本体シートに折り部を介して連接した２枚の貼着シートとからなり、葉書本体シートの一面には葉書表示を設け、この葉書本体シートの葉書表示面側に重ね合わせる貼着シートは、前記葉書本体シートと重ね合わせた時に前記葉書表示が表出するように、その幅を前記葉書本体シートよりも狭く、または切り欠き部を設けて構成し、前記葉書本体シートと前記各貼着シートの各重ね合わせ面をそれぞれ通知情報記載面とする一方、前記葉書本体シートと前記各貼着シートの各重ね合わせ面の互いに対接する各一方には透視可能なシートを剥離可能または剥離困難に接着し、前記葉書本体シートまたは前記各貼着シートの各重ね合わせ面の互いに対接する各一方に設けた各透視可能なシートの表出面には、前記透視可能なシートが剥離可能であれば剥離困難な強粘着剤を設けるとともに剥離紙で被覆し、前記透視可能なシートが剥離困難であれば剥離可能な弱粘着剤を設けるとともに剥離紙で被覆してなり、前記透視可能なシートの表出面に剥離困難な強粘着剤を介して、または剥離可能な弱粘着剤を介して、設けた剥離紙の少なくとも一枚を控とし、前記折り部で葉書本体シートの表面側に貼着シートを前記控を介して折り重ねた後に、前記葉書本体シートまたは前記貼着シートへの記入によって前記控の一面側に複写記入するために、前記控の一面側に設けた顕色剤層と、この一面側と折り重なる前記葉書本体シートの表面に染料内包マイクロカプセル剤層とからなる複写構造を設けたものである。
【０００８】
【発明の実施形態】
以下、本発明の好適な実施形態を添付図面に基づいて説明する。ここにおいて、図１〜図７は第１の実施形態を示し、図１は重ね合わせ葉書用シートの概略的な斜視図、図２は同じく裏面側を示す平面図、図３は図１の全構成要素を示すＡ−Ａ線断面図、図４は作成した重ね合わせ葉書の概略的な斜視図、図５は図４の全構成要素を示すＢ−Ｂ線断面図、図６は控たる剥離紙の記入状態を示す概略的な平面図、図７は重ね合わせ面を剥離した状態を示す重ね合わせ用葉書の概略的な斜視図、図８は第２の実施形態を示す重ね合わせ葉書用シートの全構成要素を示す断面図、図９〜図１１は第３の実施形態を示し、図９は重ね合わせ葉書用シートの概略的な斜視図、図１０は同じく裏面側を示す平面図、図１１は図９の全構成要素を示すＣ−Ｃ線断面図である。
【０００９】
まず、図１〜図７に基づいて、第１の実施形態を説明する。図１〜図３に示すように、重ね合わせ葉書用シート１は、葉書本体シート２と、この葉書本体シート２の表裏面に重ね合わせて剥離可能に接着する２枚の貼着シート３，４を、折り用ミシン目５，６を介して連接してなる。前記貼着シート４は折り用ミシン目６から前記葉書本体シート２の表面側（葉書本体シート２の図１に表示した面を表面側とする、以下同じ）に重ね合わせるもので、前記葉書本体シート２とほぼ同一サイズである。
【００１０】
一方、貼着シート３は葉書本体シート２の裏面側に重ね合わせるもので、前記葉書本体シート２よりも小さいサイズからなる。そして、葉書本体シート２のこの貼着シート３と重なり合わない折り用ミシン目６に沿った部分には、「郵便はがき」という葉書表示７を設けている。また、葉書本体シート２と各貼着シート３，４の重ね合わせ面をそれぞれ通知情報記載面としている。
【００１１】
葉書本体シート２表面と貼着シート４との重ね合わせ面の一方側である貼着シート４面には、折り用ミシン目６に沿った部分に、接着体１５を強粘着剤１２によって捲り上げ可能に接着している。この接着体１５は、熱溶着によって形成した不完全溶着層８を介して剥離可能に疑似的に接着した、熱可塑性樹脂からなる２枚の透明シート９，１０の各表出面に、剥離不能な強粘着剤１１，１２を設け、強粘着剤１１は全面的に剥離紙１３で被覆し、強粘着剤１２は一端縁に沿った部分を除いて剥離紙１４で被覆してなる。前記剥離紙１３には剥離開始動作を容易にするためのスリット１６を形成している。
【００１２】
上述の透明シート９，１０は、ポリエチレン、ポリプロピレン、ポリスチレン、ポリエステル、ポリ塩化ビニル、ポリ酢酸ビニル、メタクリル樹脂等のなかから適宜選択して使用することができる。
【００１３】
また、剥離紙１３は控となるもので、図３に示すように、その表出面には顕色剤層１７を設けている。一方、葉書本体シート２の表面側には、同じく図３に示すように、染料内包マイクロカプセル剤層１８を設けている。これら顕色剤層１７と染料内包マイクロカプセル剤層１８とによって、前記葉書本体シート２の裏面側への記入により、前記剥離紙１３に複写記入するための複写構造を構成している。
【００１４】
顕色剤層１７を形成する顕色剤層１７は、レジンや活性白土等から適宜選択して使用することができる。染料内包マイクロカプセル剤層１８を形成する染料内包マイクロカプセル剤は、例えば、芯物質をロイコ系染料とし、酸触媒及び乳化機能を有するスチレン−無水マレイン酸の部分加水分解物と、メラミンまたは尿素とホルマリンあるいはこれらのプレポリマを用い、インサイチュ法によって尿素−ホルマリン樹脂を形成し、これをカプセル壁材として生成した染料内包マイクロカプセル剤について、そのカプセル壁材を覆うような状態でカプセル壁材及びインキビヒクルの双方に親和性のある界面活性剤層を設け、さらに真空蒸留法をもって水分を選択的に気化し、除去することで、水系で生成された染料内包マイクロカプセルを、この界面活性剤層を介してインキビヒクル中に分散状態で置換せしめて得ることができる。
【００１５】
さらに、図３に示すように、葉書本体シート２裏面と貼着シート３との重ね合わせ面の一方側である貼着シート３面には、折り用ミシン目５に沿った部分に、接着体２６を強粘着剤２２によって捲り上げ可能に接着している。この接着体２６は、上述した接着体１５と同一構成であり、熱溶着によって形成した不完全溶着層１９を介して剥離可能に疑似的に接着した、熱可塑性樹脂からなる２枚の透明シート２０，２１の各表出面に、剥離困難な強粘着剤２２，２３を設け、強粘着剤２３は全面的に剥離紙２５で被覆し、強粘着剤２２は一端縁に沿った部分を除いて剥離紙２４で被覆してなる。また、前記剥離紙２５には剥離を容易にするためのスリット２７を形成している。
【００１６】
各透明シート２０，２１は、上述した各透明シート９，１０と同様、ポリエチレン、ポリプロピレン、ポリスチレン、ポリエステル、ポリ塩化ビニル、ポリ酢酸ビニル、メタクリル樹脂等のなかから適宜選択して使用することができる。
【００１７】
各貼着シート４には、折り用ミシン目６と反対側の下隅部に三角形状の切り欠き部３７を、剥離紙１３にまで及ぶよう形成している。そして、前記各貼着シート３，４の表面には、切り欠き部３７と折り用ミシン目６と反対側の下隅部に向けて、矢印と「ここからはがして下さい」という文からなる剥離開始端指示表示２８，２９を、それぞれあらかじめ印刷している。
【００１８】
次に、上述した重ね合わせ葉書用シート１から重ね合わせ葉書を作成する手順を説明する。まず、折り用ミシン目６で葉書本体シート２の表面側に貼着シート４を折り重ね、葉書本体シート２の裏面側に親展通知情報３０（図５参照）を記入する。すると、図６に示すように、この親展通知情報３０が、染料内包マイクロカプセル剤層１８と顕色剤層１７の作用によって、控である剥離紙１３に控情報３１として複写記入される。
【００１９】
次いで、再び図１状態に展開し、接着体１５を貼着シート４から捲り上げて、前記貼着シート４の葉書本体シート２との重ね合わせ面に親展通知情報３２（図５参照）を記入する。また、前記葉書本体シート２の表面側には親展通知情報３３（図５参照）を記入し、貼着シート３の表出面には宛名情報３４（図４、図５参照）を記入する。さらに、接着体２６を貼着シート３から捲り上げて、前記貼着シート３の葉書本体シート２との重ね合わせ面に親展通知情報３５（図５参照）を記入し、貼着シート４の表出面には差出人情報（図示せず）を記入する。
【００２０】
続いて、各接着体１５，２６を順次捲り上げて各剥離紙１４，２４を剥離し、露出した強粘着剤１２，２２によって各貼着シート４，３に、対応する透明シート１０，２０を接着する。さらに、各剥離紙１３，２５を剥離し、各貼着シート４，３を葉書本体シート２の表裏面に各折り用ミシン目６，５から折り重ね、露出した強粘着剤１１，２３によって、前記葉書本体シート２の表裏面に対応する透明シート９，２１を接着する。これによって、図４及び図５に示す重ね合わせ葉書３６が作成される。
【００２１】
この重ね合わせ葉書３６は、所定金額の切手を貼付すれば、通常の官製葉書と同様に投函可能となる。一方、この重ね合わせ葉書３６を受領した宛名人は、各剥離開始端指示表示２８，２９にしたがい、各貼着シート３，４を捲り上げる。すると、それぞれ剥離可能に疑似的に接着している透明シート２０，２１及び９，１０が剥離し、図７に示すように、葉書本体シート２の表裏面から前記各貼着シート３，４が剥離して、各透明シート９，１０，２１，２２を透して隠蔽されていた親展通知情報３０，３５，３２，３３を視認することができる。
【００２２】
次に、図８に基づいて本発明の第２の実施形態を説明する。本実施形態の重ね合わせ葉書用シート４１が、上述した第１の実施形態の重ね合わせ葉書用シート１と相違するのは、２枚の透明シート９，１０及び２０，２１を有する各接着体１５，２６に換えて、１枚の透明シート４５，４６を強粘着剤４７，４８によって、剥離困難に各貼着シート４３，４４の葉書本体シート４２との重ね合わせ面に接着し、各透明シート４５，４６の表出面には、剥離可能な弱粘着剤４９，５０を塗布して、剥離紙５１，５２で被覆した点である。
【００２３】
本実施形態では、各透明シート４５，４６は各貼着シート４３，４４と剥離困難であるため、各貼着シート４３，４４にあらかじめ所定の親展通知情報５３，５４を印字あるいは印刷したうえ、各透明シート４５，４６を接着している。なお、図８において、５５，５６は折り用ミシン目、５７は顕色剤層，５８は染料内包マイクロカプセル剤層，５９は葉書表示、５１ａ，５２ａは剥離用のスリットである。
【００２４】
上述した重ね合わせ葉書用シート４１から重ね合わせ葉書（図示せず）を作成する手順で第１の実施形態と相違するのは、各貼着シート４３，４４の重ね合わせ面には親展通知情報５３，５４があらかじめ印字あるいは印刷されているので、葉書本体シート４２の表裏面にのみ親展通知情報を記入する点だけである。そして、剥離紙５２が控となり、葉書本体シート４２の裏面側に記入した親展通知情報が、控情報として複写記入される。
【００２５】
また、この第２の実施形態では、作成された重ね合わせ葉書の重ね合わせ面を各貼着シート４３，４４を捲り上げて剥離すると、各透明シート４５，４６は各貼着シート４３，４４側に接着した状態となり、葉書本体シート４２の表裏面には透明シート４５，４６が存在しない状態となる。
【００２６】
次に、図９〜図１１に基づいて、第３の実施形態を説明する。図９〜図１１に示すように、重ね合わせ葉書用シート６１は、葉書本体シート６２と、この葉書本体シート６２の表裏面に重ね合わせて剥離可能に接着する２枚の貼着シート６３，６４とを備えている。貼着シート６４は折り用ミシン目６６から前記葉書本体シート６２の表面側に重ね合わせるもので、前記葉書本体シート６２とほぼ同一サイズである。この貼着シート６４の折り用ミシン目６６とは反対側の下隅部には三角形状の切り欠き部９１が設けられている。
【００２７】
一方、貼着シート６３は葉書本体シート６２の裏面側に重ね合わせるもので、前記葉書本体シート６２とほぼ同一サイズであり、この貼着シート６３には、その上端部分に切り欠き部６７を設けている。また、この貼着シート６３の折り用ミシン目６５とは反対側の下隅部には三角形状の切り欠き部９０が設けられている。そして、この貼着シート６３を葉書本体シート６２の裏面側に重ね合わせた時に、前記切り欠き部６７に対応する葉書本体シート６２の裏面には、「郵便はがき」という葉書表示６８を設けている。また、葉書本体シート６２と各貼着シート６３，６４の重ね合わせ面をそれぞれ通知情報記載面としている。
【００２８】
図１１に示すように、葉書本体シート６２表面と貼着シート６４との重ね合わせ面の一方側である貼着シート６４面には、熱可塑性樹脂からなる透明シート６９を剥離困難な強粘着剤７０によって接着している。前記透明シート６９の前記貼着シート６４とは反対面側には、同じく熱可塑性樹脂からなる透明シート７１を、熱溶着により形成した不完全溶着層７２によって剥離可能に疑似的に接着している。そして、前記透明シート７１の表出面には剥離困難な強粘着剤７３を設けるとともに、剥離紙７４で被覆している。
【００２９】
剥離紙７４には、剥離動作を容易にするためのスリット８７を設けている。また、この剥離紙７４にも貼着シート６４の切り欠き部９１が及ぶように設けられている。本実施形態では、透明シート６９は貼着シート６４と剥離困難であるため、貼着シート６４にあらかじめ所定の親展通知情報８５を印字あるいは印刷したうえ、透明シート６９を接着している。
【００３０】
同じく図１１で理解できるように、葉書本体シート６２表面と貼着シート６３との重ね合わせ面の一方側である貼着シート６３面には、折り用ミシン目６５に沿った部分に、接着体７５を強粘着剤７６によって捲り上げ可能に接着している。
【００３１】
この接着体７５の構成は、上述した第１の実施形態の接着体１５と同一であり、不完全溶着層７７により剥離可能に疑似的に接着した２枚の透明シート７８，７９と、剥離紙８０で被覆された前記透明シート７９に設けた強粘着剤８１と、強粘着剤７６の一部を露出して被覆する剥離紙８２とを備えている。剥離紙８０には、剥離開始動作を容易にするためのスリット８３を設け、また、顕色剤層８４が表出面側に設けられている。この接着体７５にも、貼着シート６３の各切り欠き部６７，９０が及ぶよう設けられている。
【００３２】
一方、葉書本体シート６２の裏面側には、染料内包マイクロカプセル剤層８６を設け、顕色剤層８４と染料内包マイクロカプセル剤層８６とによって、前記葉書本体シート６２の表面側への記入により、前記剥離紙８０に複写記入するための複写構造を構成している。なお、図１０に示すように、剥離紙８０には剥離動作を容易にするためのスリット８３を設けている。
【００３３】
上述した重ね合わせ葉書用シート６１から重ね合わせ葉書（図示せず）を作成する手順で第１の実施形態と相違するのは、貼着シート６４の重ね合わせ面には親展通知情報８５があらかじめ印字あるいは印刷されているので、この貼着シート６４の重ね合わせ面を除いた、葉書本体シート６２の表裏面及び貼着シート６３の重ね合わせ面に親展通知情報を記入する点だけである。そして、剥離紙８０が控となり、葉書本体シート６２の表面側に記入した親展通知情報が、控情報として複写記入される。
【００３４】
この第３の実施形態では、作成された重ね合わせ葉書の重ね合わせ面を剥離するには、各貼着シート６３，６４を各切り欠き部９０，９１から捲り上げればよい。これによって、各透明シート６９，７１，７８，７９を透して葉書本体シート６２及び各貼着シート６３，６４の重ね合わせ面に表示した親展通知情報を視認することができる。
【００３５】
なお、本発明は上述した各実施形態に限られるものではなく、例えば、各重ね合わせ面に設ける透明シート９，１０，２１，２２，４５，４６，６９，７１，７７，７８は、２枚同士あるいは１枚同士ではなく、２枚と１枚とを組み合わせてもよい。また、葉書表示７，５９，６８は「郵便はがき」のほか、郵便葉書を意味する字句であればよく、「ＰＯＳＴ  ＣＡＲＤ」のような英文字による表示でもよいものである。さらに、切り欠き部６７の位置や形状も葉書表示７，５９，６８に応じて種々の変更が可能であり、例えば葉書表示７，５９，６８の各文字に対応するよう複数の切り欠き部を設けることもできる。
【００３６】
控である剥離紙１３，５２，８０は１枚に限らず２枚以上であってもよい。また、重ね合わせ葉書用シート１，４１，６１には、作成した葉書の重ね合わせ面を剥離する時の指掛け部として、各貼着シート６３，６４の隅部に切り欠き部９０，９１を設けるほか、各透明シート９，１０，２０，２１，４５，４６，６９，７１，７８，７９の幅を各貼着シート３，４，４３，４４，６３，６４及び葉書本体シート２，４２，６２の幅よりも狭く設定したり、各透明シート９，１０，２０，２１，４５，４６，６９，７１，７８，７９の端縁に凹部を形成することができる。
【００３７】
【発明の効果】
このようにして、本願の請求項１の発明である重ね合わせ葉書用シートによれば、専用の葉書作成機を備えることなく、通知情報量の多い重ね合わせ葉書を簡便に作成できるとともに、現行の郵便法の規定にも合致する重ね合わせ葉書を作成でき、また、通知情報を複写記入した控を得られるので、通知情報の管理が容易になるうえ、従来は葉書作成後に廃棄していた剥離紙を控として利用できるほか、控を意識的に折り重ねないと複写記入できないので、不用意な取り扱いで誤って複写されることがないという効果を奏する。
【図面の簡単な説明】
【図１】  本発明の第１の実施形態を示す重ね合わせ葉書用シートの概略的な斜視図。
【図２】  同じく重ね合わせ葉書用シートの裏面側を示す概略的な平面図。
【図３】  同じく図１の全構成要素を示すＡ−Ａ線断面図。
【図４】  同じく作成した重ね合わせ葉書の概略的な斜視図。
【図５】  同じく図４の全構成要素を示すＢ−Ｂ線断面図。
【図６】  同じく控たる剥離紙の記入状態を示す概略的な平面図。
【図７】  同じく重ね合わせ面を剥離した状態を示す重ね合わせ用葉書の概略的な斜視図。
【図８】  本発明の第２の実施形態を示す重ね合わせ葉書用シートの全構成要素を示す断面図。
【図９】  本発明の第３の実施形態を示す重ね合わせ葉書用シートの概略的な斜視図。
【図１０】  同じく重ね合わせ葉書用シートの裏面側を示す概略的な平面図。
【図１１】  同じく図９の全構成要素を示すＣ−Ｃ線断面図。
【符号の説明】
１，４１，６１      重ね合わせ葉書用シート
２，４２，６２      葉書本体シート
３，４，４３，４４，６３，６４      貼着シート
５，６，５５，５６，６５，６６      折り用ミシン目
７，５９，６８      葉書表示
８，１９，７２，７７      不完全溶着層
９，１０，２０，２１，４５，４６，６９，７１，７８，７９      透明シート
１１，１２，２２，２３，４７，４８，７０，７３，７６，８１      強粘着剤層
１３，１４，２４，２５，５１，５２，７４，８０      剥離紙
１５，２６，７５      接着体
１７，５７，８４      顕色剤層
１８，５８，８６      染料内包マイクロカプセル剤層
３０，３２，３３，３５，５３，５４，８５      親展通知情報
３１      控情報
３６      重ね合わせ葉書
４９，５０      弱粘着剤層
６７      切り欠き部
【図１】
0003938967.tif 000002
【図２】
0003938967.tif 000003
【図３】
0003938967.tif 000004
【図４】
0003938967.tif 000005
【図５】
0003938967.tif 000006
【図６】
0003938967.tif 000007
【図７】
0003938967.tif 000008
【図８】
0003938967.tif 000009
【図９】
0003938967.tif 000010
【図１０】
0003938967.tif 000011
【図１１】
0003938967.tif 000012